(57)【特許請求の範囲】
【請求項１】
受話器および送話器がハイブリッド回路に接続されるとともに、このハイブリッド回路が、電話回線に対する閉結・開放を行うフックスイッチ用のスイッチを通じて上記電話回線に接続される電話機において、
上記フックスイッチ用のスイッチのオンオフを制御するシステムコントロール回路と、
このシステムコントロール回路により処理内容が切り換え制御される音声信号処理用のＤＳＰと、
上記システムコントロール回路により切り換え制御されるスイッチ回路と
を有し、
上記スイッチ回路の一方の入力接点は、上記フックスイッチ用のスイッチの上記電話回線側の接点に接続され、
上記スイッチ回路の他方の入力接点は、上記ハイブリッド回路と上記受話器との間の信号ラインに接続され、
上記スイッチ回路の出力接点は上記ＤＳＰに接続され、
上記システムコントロール回路が上記フックスイッチ用のスイッチをオフとして上記電話回線を開放している期間には、上記システムコントロール回路が上記スイッチ回路の上記出力接点を上記一方の入力接点に接続することにより、上記電話回線を通じて送られてくるコーラＩＤ信号により変調されたＦＳＫ信号を、上記スイッチ回路を通じて上記ＤＳＰに供給して上記コーラＩＤ信号をデコードし、
このデコードしたコーラＩＤ信号を上記システムコントロール回路に供給し、
上記システムコントロール回路が上記フックスイッチ用のスイッチをオンとして上記電話回線を閉結している期間には、上記システムコントロール回路が上記スイッチ回路の上記出力接点を上記他方の入力接点に接続することにより、上記ハイブリッド回路から上記受話器に供給される音声信号の一部を、上記スイッチ回路を通じて上記ＤＳＰに供給し、
このＤＳＰにおいて、これに供給された上記音声信号に対して音声処理を行う
ようにした電話機。
【請求項２】
請求項１に記載の電話機において、
上記ＤＳＰにおいて、電話会社による上記コーラＩＤ信号のフォーマットの違いを吸収して一定化し、
この一定化したコーラＩＤ信号を上記システムコントロール回路に供給する
ようにした電話機。
【請求項３】
請求項１あるいは請求項２に記載の電話機において、
上記ＤＳＰにおいて、上記コーラＩＤ信号をノイズ信号から分離し、
このノイズ信号から分離したコーラＩＤ信号を上記システムコントロール回路に供給する
ようにした電話機。
【発明の詳細な説明】
【０００１】
【産業上の利用分野】
この発明は、コーラＩＤ機能を有する電話機に関する。
【０００２】
【従来の技術】
電話システムにおいて、コーラＩＤ機能と呼ばれているものがある。このコーラＩＤ機能は、主としてアメリカにおいて実用化されているが、そのコーラＩＤ信号は、発呼者の電話番号を示すデータ信号である。そして、着呼時、そのコーラＩＤ信号がＦＳＫ信号に変換された状態で、リンガ信号と一緒に、着呼側の電話機に送られる（リンガ信号期間以外に送られてくる場合もある）。
【０００３】
したがって、このコーラＩＤ信号を使用すれば、着呼があったとき、例えば、その相手の電話番号を知ることができる。
【０００４】
そこで、コーラＩＤ機能を有する電話機は、例えば図２に示すように、構成されている。
【０００５】
すなわち、図２において、ＬＮは電話回線（外線）、１１は送話器および受話器を有するハンドセット、１２は電話機本体に内蔵されたマイクロフォン、１３は同様のスピーカ、１４は音声信号ラインの切り換え回路である。また、１７は、４線／２線変換などを行うハイブリッド回路、１８は、回線ＬＮに対する閉結・開放を行うフックスイッチ用のスイッチであり、これは、例えばリレー（図示せず）の接点により構成される。
【０００６】
そして、通話時には、自分の音声信号が、ハンドセット１１の送話器あるいはマイクロフォン１２→切り換え回路１４→アンプ１５→ハイブリッド回路１７→スイッチ１８の音声信号ラインを通じて回線ＬＮへと送り出される。また、相手の音声信号が、回線ＬＮ→スイッチ１８→ハイブリッド回路１７→アンプ１６→切り換え回路１７の音声信号ラインを通じてハンドセット１１の受話器あるいはスピーカ１３に供給される。
【０００７】
さらに、２１はシステムコントロール用のマイクロコンピュータ、２２はダイヤルキー、２３は各種の操作スイッチ、２４は着呼時のリンガ信号の検出回路、２５はリンガ、２６は各種の情報を表示するＬＣＤである。そして、ダイヤルキー２２およびスイッチ２３の出力および検出回路２４の出力がマイクロコンピュータ２１に供給されるとともに、マイクロコンピュータ２１からリンガ２５およびＬＣＤ２６に出力信号が供給される。さらに、図示はしないが、マイクロコンピュータ２１により切り換え回路１４およびスイッチ１８が制御される。
【０００８】
また、２７は音声信号処理用のＤＳＰ、２８はコーデック回路で、ＤＳＰ２７はコーデック回路２８を通じて音声信号ラインに接続されている。この場合、ＤＳＰ２７は、音声信号の高能率の符号化や全二重スピーカホンなどを実現するために使用されるものであり、マイクロコンピュータ２１とＤＳＰ２７との間で、必要に応じてコマンドやデータがアクセスされる。
【０００９】
さらに、２９はＦＳＫ信号からコーラＩＤ信号をデコードあるいは復調するデコーダ回路である。すなわち、着呼時、コーラＩＤ信号により変調されたＦＳＫ信号が、リンガ信号と一緒に回線ＬＮを通じて送られてくると、デコーダ回路２９により、送られてきたＦＳＫ信号からコーラＩＤ信号がデコードされ、このコーラＩＤ信号がマイクロコンピュータ２１に供給される。
【００１０】
したがって、着呼時、相手の電話番号が、ＬＣＤ２６に表示することができる。あるいは、電話番号と相手の名前との対応表を用意しておくことにより、相手の名前をＬＣＤ２６に表示することができる。
【００１１】
【発明が解決しようとする課題】
ところで、実際には、コーラＩＤ信号をデコードするデコーダ回路２９は１チップＩＣ化されているが、そのような専用ＩＣを使用すると、コストアップとなってしまう。
【００１２】
また、コーラＩＤ信号は、アメリカ国内においては、電話会社によってフォーマットに多少の違いがあり、マイクロコンピュータ２１のプログラムにより、その違いを吸収する必要がある。
【００１３】
さらに、現状では、デコード用ＩＣ（デコーダ回路）２９が、ＦＳＫ信号とノイズ信号との区別を十分にできず、デコードされたコーラＩＤ信号と一緒にノイズ信号もマイクロコンピュータ２１に供給されるので、マイクロコンピュータ２１において、コーラＩＤ信号をノイズ信号から分離する作業も必要となる。このため、ノイズの多い環境では、マイクロコンピュータ２１のパフォーマンスが大きく低下してしまい、他の処理ができなくなってしまう。
【００１４】
この発明は、以上のような問題点を解決しようとするものである。
【００１５】
【課題を解決するための手段】
このため、この発明においては、各部の参照符号を後述の実施例に対応させると、
音声信号処理用のＤＳＰ２７と、
スイッチ回路３１とを設け、
コーラＩＤ信号により変調されたＦＳＫ信号が送られてきた期間には、このＦＳＫ信号をスイッチ回路３１を通じてＤＳＰ２７に供給してコーラＩＤ信号をデコードし、
このデコードしたコーラＩＤ信号をシステムコントロール回路２１に供給し、
通話時には、通話により得られる音声信号を、スイッチ回路３１を通じてＤＳＰ２７に供給し、
このＤＳＰ２７において、これに供給された音声信号に対して所定の処理を行うようにしたものである。
【００１６】
【作用】
ＦＳＫ信号が送られてくると、ＤＳＰ２７において、ＦＳＫ信号からコーラＩＤ信号がデコードされ、このデコードされたコーラＩＤ信号がマイクロコンピュータ２１に供給される。
【００１７】
【実施例】
図１において、スイッチ回路３１が設けられ、スイッチ１８を通過する前の（スイッチ１８よりも回線ＬＮ側に得られる）信号が、アンプ３２を通じてスイッチ回路３１の一方の入力接点Ａに供給されるとともに、アンプ１６の出力信号がスイッチ回路３１の他方の入力接点Ｂに供給される。そして、スイッチ回路３１の出力信号が、コーデック回路２８に供給される。また、マイクロコンピュータ２１からスイッチ回路３１にその制御信号が供給される。
【００１８】
そして、着呼があると、回線ＬＮを通じてリンガ信号が送られてくるが、このリンガ信号が検出回路２４により検出されて着呼のあったことが、マイクロコンピュータ２１に通知される。すると、マイクロコンピュータ２１によりリンガ２５がドライブされ、ユーザに着呼が通知される。
【００１９】
また、このとき、マイクロコンピュータ２１により、スイッチ回路３１が接点Ａに接続され、リンガ信号と一緒に送られてきているＦＳＫ信号（コーラＩＤ信号）が、回線ＬＮ→アンプ３２→スイッチ回路３１→コーデック回路２８の信号ラインを通じてＤＳＰ２７に供給される。すると、ＤＳＰ２７において、これに供給されたＦＳＫ信号が解析されてもとのコーラＩＤ信号にデコード（復調）される。
【００２０】
なお、この場合、電話会社によるコーラＩＤ信号のフォーマットの違いも、ＤＳＰ２７において吸収され、フォーマットの違いにかかわらず一定のフォーマットのコーラＩＤ信号とされる。また、コーラＩＤ信号に含まれるノイズ信号も、ＤＳＰ２７において除去される。そして、このように処理されたコーラＩＤ信号がマイクロコンピュータ２１に供給される。
【００２１】
したがって、ＬＣＤ２６には、そのコーラＩＤ信号ににより、電話をかけてきた相手の電話番号が表示される。
【００２２】
そして、ユーザがハンドセット１１を電話機本体から取り上げると、これによりスイッチ２３のうちのスイッチ２３Ｈが例えばオンからオフになるとともに、これがマイクロコンピュータ２１により検出される。この結果、マイクロコンピュータ２１により、スイッチ１８がオンとされ、電話機はオフフック状態とされるとともに、スイッチ回路３１が接点Ｂに接続され、アンプ１６からの信号が、スイッチ回路３１およびコーデック回路２８を通じてＤＳＰ２７に供給される。
【００２３】
したがって、上述のように、ハンドセット１１、あるいはマイクロフォン１２およびスピーカ１３を使用して相手との通話を行うことができる。また、この場合、相手からの音声信号および自分の音声信号がＤＳＰ２７により処理され、音声信号の高能率の符号化や全二重スピーカホンなどが実現される。
【００２４】
【発明の効果】
この発明によれば、着呼時、ＤＳＰ２７を使用してＦＳＫ信号からコーラＩＤ信号をデコードするようにしているので、デコード用の専用ＩＣ２９が不要となる。そして、この場合、ＤＳＰ２７は、もともと通話時の音声信号の処理用であり、着呼によりリンガ２５が鳴っている期間は、音声信号の処理は行っていないので、ＤＳＰ２７をコーラＩＤ信号のデコードに兼用しても問題はなく、したがって、コストダウンができる。
【００２５】
また、コーラＩＤ信号のフォーマットに違いがあっても、これはＤＳＰ２７において吸収され、一定のフォーマットに規格化されたコーラＩＤ信号がマイクロコンピュータ２１に供給されるので、マイクロコンピュータ２１の負荷が軽くなる。
【００２６】
さらに、ＦＳＫ信号にノイズ信号が含まれていても、ＤＳＰ２７において、コーラＩＤ信号をノイズ信号から分離することができるので、この点からもマイクロコンピュータ２１の負荷が軽くなり、マイクロコンピュータ２１のパフォーマンスの低下を防ぐことができる。
【図面の簡単な説明】
【図１】この発明の一例を示す系統図である。
【図２】従来例を示す系統図である。
【符号の説明】
１１  ハンドセット
１２  マイクロフォン
１３  スピーカ
１４  切り換え回路
１７  ハイブリッド回路
１８  スイッチ（フックスイッチ用）
２１  マイクロコンピュータ
２４  検出回路（リンガ信号用）
２５  リンガ
２６  ＬＣＤ
２７  ＤＳＰ（音声信号処理用）
２８  コーデック回路
【図１】
0003608578.tif 000002
【図２】
0003608578.tif 000003